(57)【要約】【課題】    缶、びん等の容器陳列をすると同時に、その取り出しをよりスムースにできるショーケース等に用いる生産効率が良く安価なスライド板を提供することにある。複数枚のスライド板を使用するときにも、従来の棒状のガイドのように各スライド板の配置方向を気にすることなくできる構造とし、サイズや形状において標準化が図れる構造で生産効率を良くしようとするものである。さらに、このスライド板をＡＢＳ樹脂等の比較的硬質のプラスチックを使うことで、金型での一体成形を可能として量産性の優れたスライド板を提供することにある。【解決手段】    缶、びん等の容器入り飲料等を陳列販売するためのショーケース１、保温庫または保冷庫等の棚板や底板において、表面に複数のダイヤカット状突起７が設けられ、かつ、前記棚板２や底板上に配置される構成としたことを特徴とするスライド板６。【選択図】    図１１
2005261873.tif 000002
【特許請求の範囲】
【請求項１】
缶、びん等の容器入り飲料等を陳列販売するためのショーケース、保温庫または保冷庫等の棚板や底板において、
表面にダイヤカット状の複数の突起が設けられ、かつ、前記棚板や底板上に配置される構成としたことを特徴とするスライド板。
【請求項２】
缶、びん等の容器入り飲料等を陳列販売するためのショーケース、保温庫または保冷庫等の棚板や底板において、
前記棚板や底板の表面にダイヤカット状の複数の突起を設けて構成したことを特徴とするスライド板。
【請求項３】
前記請求項１において、表面にダイヤカット状の複数の突起が設けられたスライド板と、前記棚板または底板上に前記スライド板を複数枚配置し、かつ、前記複数枚のスライド板を組合せ可能に自在に配置できる構成としたことを特徴とするスライド板。
【請求項４】
前記請求項１ないし３において、複数のスライド板を組合せ可能とするために、各スライド板に結合可能な結合部を形成することを特徴とするスライド板。
【発明の詳細な説明】
【発明の詳細な説明】
【技術分野】
【０００１】本発明は、缶、びん等の容器入り飲料等が、陳列販売されるショーケースや自動販売機、保温庫や保冷庫の棚板や底板を形成する、または、前記棚板や底板とともに用いられるスライド板に関するものである。
【背景技術】
【０００２】従来のこの種のショーケース等における一般的な構造は、容器の取り出し方向に対して（扉側に行くにつれて）、低く傾斜する傾斜面を有する平板状の棚板と、前記棚板の上に載置され、かつ、前記取出方向に整列された複数個の容器を、前記傾斜面を介してスライド可能に収容するスライド板からなるものであった。
そして、スライド板の一例としては、例えば、缶、びん等の容器がスライドして取り出し口手前に出てくるように、スライド板のスライド部分に多数のローラーを使用して確実にスライドさせるようにしているものがある。特に、容器群を垂直に保管する構成のショーケースの場合は、単に平板を傾斜させるだけでは、缶、びん等の容器が自重でスライドするのが難しかった。そのため部品点数が多くなり、構造も複雑になる欠点があるものの、多数のローラーを使用したスライド板を用いるのが一般的であった。
以下に、従来例について説明する。
１）特開平１１−３１８６５４
図８に示すように、容器の取り出し方向に直交するように細長なローラー３が複数並んで設けられている。このローラーを棚板２の一部としてローラー３軸を介して側板５に組み付けてスライド板を構成しているが、多数のローラー３を必要とすること、およびそのローラー３を棚板２に組み付ける工程が必要なことからコストや作業効率の面で問題があった。他の従来例としては、細長なローラーではなく、ドーナッツ状のローラーもあるが、上述の問題点は同じである。
さらに、前記ローラー構造においては、ショーケース内の温度変化や経時変化による劣化で、ローラーの回転が悪くなったり、組み付け状態が歪んだりすることで、缶等のスライドがうまく行かない欠点があった。
２）特許第３１５４１１３号
図９に示すように、ローラーを用いずに、レール状の棒状突起１０を用いたスライド用リブ１１から成るスライド板６もある。この場合は、ローラーを使用したものに比較して生産性は非常に良いが、レール状なので缶やびんの底面との接触面積が多くなり、摩擦係数が大きくなってスライドしにくいという構造上の致命的な欠点があった。加えて、複数枚でスライド板を構成しようとする場合は、レール状のスライド用リブ１１の方向を一致させて配置する必要があり、複数のスライド板６の自由自在な組合せをすることが困難であった。一枚ものの場合には、スライド用リブ１１の方向は一方向でそろうが、複数枚の場合はスライド用リブ１１の方向が直交する組合せになる可能性もあり、組合せ時にスライド用リブ１１の方向を一定にする配慮が必要であった。
さらに、種々のショーケースのサイズ、形状に対応するためには、スライド板６の縦方向や横方向のサイズを変えた多くの組合せ用のスライド板６を用意する必要があり、生産効率が非常に悪くなるという欠点もあった。
【発明が解決しようとする課題】
【０００３】本発明は、上記問題を解決するためのもので、その目的は、缶、びん等の容器陳列をすると同時に、その取り出しをよりスムースにできるスライド板を提供することにある。
そして、そのスライド板は、簡単な構造で傾斜だけを利用するもので、かつ、複数枚のスライド板を使用するときにも各スライド板の配置方向を気にすることなくできる構造であること、および、サイズや形状において標準化を図れることで、生産効率を良くしようとするものである。さらに、このスライド板をＡＢＳ樹脂等の比較的硬質のプラスチックを使うことで、金型での一体成形が可能として量産性の優れたスライド板を提供することにある。
【課題を解決するための手段】
【０００４】本発明は、上記課題を解決するためのもので、以下の特徴を有する。
請求項１においては、
缶、びん等の容器入り飲料等を陳列販売するためのショーケース、保温庫または保冷庫等の棚板や底板において、表面にダイヤカット状の複数の突起が設けられ、かつ、前記棚板や底板上に配置される構成としたことを特徴とするスライド板。
請求項２においては、
缶、びん等の容器入り飲料等を陳列販売するためのショーケース、保温庫または保冷庫等の棚板や底板において、前記棚板や底板の表面にダイヤカット状の複数の突起を設けて構成したことを特徴とするスライド板。
請求項３においては、
前記請求項１に加えて、表面にダイヤカット状の複数の突起が設けられたスライド板と、前記棚板または底板上に前記スライド板を複数枚配置し、かつ、前記複数枚のスライド板を組合せ可能に自在に配置できる構成としたことを特徴とするスライド板。
請求項４においては、
前記請求項１ないし３に加えて、複数のスライド板を組合せ可能とするために、各スライド板に結合可能な結合部を形成することを特徴とするスライド板である。
【発明を実施するための最良の形態】
【実施例】
【０００５】以下に、実施例を掲げて本発明を具体的に説明するが、この発明の範囲はこれらの例示に限定されるものではない。
本発明は、図７に示すようなショーケース１や自動販売機、保温庫や保冷庫の棚板や底板に関するものである。コンビニエンス  ストアや駅の売店などでは、缶、びん等の容器入り飲料等が陳列販売する場合に、この種のショーケースや自動販売機、保温庫や保冷庫を使用している。
この種のショーケース等は、容器の取り出し方向に対して扉側に行くにつれ低く傾斜する傾斜面を有する平板状のスライド板を有し、前記スライド板の上に載置された缶、びん等の容器がスライドして順次取り出せる構造になっている。
通常の構造は、ショーケースの中敷的な棚板に、さらにその上に配置するスライド板を設けるのが一般的であった。
以下実施例に基いてさらに詳細に説明をする。【０００６】図１は、本発明のスライド板６の断面図を示すもので、その上部には複数のダイヤカット状突起７が形成されている。スライド板６の側面には、スライド板６同士を結合するための結合凹部８と結合凸部９が形成されている。
スライド板６は、通常４０平方ｃｍ程度の一枚のスライド板で構成されるが、ショーケース１の形状やサイズによっては、複数の小型スライド板の組合せで構成する場合もある。このために、図１のスライド板６には組合せ可能なように、一例として、凹凸形状の結合部を設けている。一枚のスライド板で構成する場合は、この結合部は不要である。
本図においてはダイヤカット状突起７の間にスペースがあるが、このスペースがあることにより、ショーケース等の庫内の冷気流通が良くなる。また、容器との接触点を少なくできる。このスペースは、容器のサイズや形状などに対応して随時変えることが可能である。
本図のスライド板６を、そのまま棚板や底板として用いることも可能である。その場合は、棚板としての本図のスライド板６は、ショーケース等に取り付ける際は、容器の取り出し方向に対して扉側に行くにつれ低く傾斜する傾斜面を有するようにする。これにより、缶やびんの自重により、容器の取り出し方向へ加重がかかる構成になる。
さらに、確実にスライドさせるために、ショーケースの奥方向からスプリングなどで容器に加重をかける構成にしても良い。
いずれにしても、本発明のスライド板６は、容器とは点接触になるのでスライド性能が非常に良くなる。寒暖差による結露が生じやすい冷蔵用ショーケース等では、結露が容器のスライドを妨げる原因になるが、容器との点接触を図れる本発明スライド板６ではその問題が無くなる。図では正確に示せないが、ダイヤカット状突起７の傾斜角は、成形時の金型離型や突起部の磨耗等を勘案すると、約１２０度前後で三角錐または四角錐の形状とすることが好ましい。【０００７】図２は、本発明の他の実施例を示すもので、スライド板６のダイヤカット状突起７を、スペースを設けることなく密に設けたものである。小型の容器を収納する場合には、ダイヤカット状突起７の間隔が大きいと容器のエッジがダイヤカット状突起７に引っかかる恐れがあるので、小型容器を収納するショーケースに有効な形状である。その側面にはそれぞれ結合凹部８と結合凸部９を有する。【０００８】図３は、本発明の他の実施例を示すもので、スライド板６のダイヤカット状突起７を、円錐形の形状にしたものである。円錐形の場合は、容器との接触面積が四角錐などより大きくなるが、自重の重い容器に有用であるし、滑りやすい材質の容器の場合には利用できる。円錐形の場合は、突出部が先鋭でないため磨耗しにくい利点がある。
スライド板６の底部には、結合凸部９が設けられており、この結合凸部９が、棚板２の結合凹部８に結合される。棚板２は、その厚みを変えることで傾斜をつけており、この傾斜した棚板２に取り付けられるスライド板６は、自然に傾斜面を持つようになる。【０００９】図４は、本発明のスライド板６を、一枚もので構成した場合の斜視図である。スライド板６の表面には多数のダイヤカット状突起７が設けられている。【００１０】図５は、本発明のスライド板６を、一枚もので構成した場合の斜視図である。スライド板６の表面には多数のダイヤカット状突起７が設けられているが、図４とは異なり複数枚のスライド板６で構成される。同じ大きさのスライド板６を組合せるもので、棚板２の上に置かれる。結合部は必要に応じて設ければ良い。【００１１】図６は、本発明のスライド板６を、一枚もので構成した場合の斜視図である。スライド板６の表面には多数のダイヤカット状突起７が設けられているが、複数枚のスライド板６で構成される。この場合は、異なる大きさのスライド板６を組合せるもので、各種サイズ、形状のショーケース等に対応できる構成である。各スライド板６の結合部は必要に応じて設ければ良い。
ショーケースのサイズや形状も、ある程度は標準化されているので、数種類のサイズのスライド板６を用意しておけば、ほとんどのショーケース等に適応できる。
このようにスライド板６のサイズが異なるものを組合せる場合、本発明のような方向性を問わないダイヤカット状突起７は非常に有利である。各スライド板６の縦横方向を気にすることなく組み合わせ配置できる。従い、ショーケースや保冷庫などのスライド板にダイヤカット状突起７を利用することは、ユーザーの利便性とメーカーの生産効率面からも、非常に効果がある。【００１２】図１０は、本発明のダイヤカット状突起７を有するスライド板６の成り立ちを説明するための参考斜視図である。最初の過程では、平板のベースプラスチックに一方向に伸びる複数の棒状突起１０を形成するように、雌金型に反台形状で、かつ、溝側面の傾斜角を約１２０度程度で溝を切ることで、このような形に成形できる。
この状態にさらに直交するような溝を前記雌金型に反台形状で溝を切り、その金型で成形すると、図１１のように本発明のダイヤカット状突起７を有するスライド板６が得られる。容器をダイヤカット状突起７の頂点で受ける形になるので、その接触面積は非常に小さく摩擦係数の低いスライド板６が得られる。
【発明の効果】
【００１３】本発明は、上述のように、ダイヤカット状突起をスライド板に応用することで、簡単な構造で量産に適することから低価格化を実現し、かつ、摩擦係数を少なくしたことによる確実なスライド動作をする優れたスライド板を提供するものである。
【図面の簡単な説明】
【図１】本発明の実施例を示す断面図である。
【図２】本発明の他の実施例を示す断面図である。
【図３】本発明の他の実施例を示す断面図である。
【図４】本発明の実施例を示す斜視図である。
【図５】本発明の他の実施例を示す斜視図である。
【図６】本発明の他の実施例を示す斜視図である。
【図７】従来の一般的なショーケースを示す斜視図である。
【図８】従来のスライド板の一例を示す斜視図である。
【図９】従来のスライド板の他の例を示す平面図である。
【図１０】本発明の説明をするための参考斜視図である。
【図１１】本発明の説明をするための参考斜視図である。
【符号の説明】
１    ショーケース
２    棚板
３    ローラー
４    ローラー軸受
５    側板
６    スライド板
７    ダイヤカット状突起
８    結合凹部
９    結合凸部
１０  棒状突起
１１  スライド用リブ
【図１】
2005261873.tif 000003
【図２】
2005261873.tif 000004
【図３】
2005261873.tif 000005
【図４】
2005261873.tif 000006
【図５】
2005261873.tif 000007
【図６】
2005261873.tif 000008
【図７】
2005261873.tif 000009
【図８】
2005261873.tif 000010
【図９】
2005261873.tif 000011
【図１０】
2005261873.tif 000012
【図１１】
2005261873.tif 000013